(57)【要約】本発明の食飲料容器は、液状内容物を入れるコップ状の容器本体および排出部が形成された半球体部を含む蓋を含む。そして、前記蓋はコップ状の容器本体に正方向または逆方向に結合される。即ち、蓋が容器本体に正方向に結合された時には、使用者は容器本体の飲料を飲むことができる。また、蓋が容器本体に逆方向に結合された時には、使用者は挽いたコーヒーとか他のインスタント食品のような食品を入れて食用できる。従って，本発明の食飲料容器は、容器の多様な用途を必要とする小規模店舗で有効に使用することができる。
2006517892.tif 000002
【特許請求の範囲】
【請求項１】
液状内容物を入れるコップ状の容器本体；および排出部が形成された半球体部を含む蓋を含み；そして、前記蓋はコップ状の容器本体に正方向または逆方向に結合されることを特徴とする食飲料容器。
【請求項２】
前記蓋は容器本体に正方向に結合される第１結束部と、容器本体に逆方向に結合される第２結束部を含んでなることを特徴とする、請求項１記載の食飲料容器。
【請求項３】
前記容器本体はその上端に結束縁が形成されることを特徴とする、請求項１記載の食飲料容器。
【請求項４】
前記排出部は排出部材挿入孔を含んでなることを特徴とする、請求項１記載の食飲料容器。
【請求項５】
前記半球体部の内面に突起を形成することを特徴とする、請求項１記載の食飲料容器。
【請求項６】
前記半球体部の内面に排出路あるいは排出溝を形成することを特徴とする、請求項１記載の食飲料容器。
【請求項７】
前記蓋は空気流入部をさらに含むことを特徴とする、請求項１記載の食飲料容器。
【請求項８】
前記半球体部は円筒形（cylindrical shape）に形成されたことを特徴とする、請求項１記載の食飲料容器。
【請求項９】
蓋が逆方向に結合された場合、前記半球体部の縁が容器本体の内周面に密着されることを特徴とする、請求項２記載の食飲料容器。
【請求項１０】
前記突起は排出部に向いて形成されたことを特徴とする、請求項５記載の食飲料容器。
【請求項１１】
前記排出路あるいは排出溝は排出部に向いて形成されたことを特徴とする、請求項６記載の食飲料容器。
【請求項１２】
前記空気流入部は切取線に区画され、引きハンドルに連結されることを特徴とする、請求項７記載の食飲料容器。
【請求項１３】
前記蓋に補助蓋がさらに形成されることを特徴とする、請求項１記載の食飲料容器。
【発明の詳細な説明】
【技術分野】
【０００１】
本発明はドーム状に形成された蓋を容器本体に逆方向に結合させて、多様な用途に用いることができる食飲料容器(container for food and beverage)に関するものである。
即ち、本発明の食飲料容器は、蓋が容器本体に正方向に結合された時には、使用者が容器本体の飲料を飲むことができるし、蓋が容器本体に逆方向に結合された時には、使用者が挽いたコーヒー（ground coffee）とか他のインスタント食品のような食品を入れて食用できる。
【背景技術】
【０００２】
インスタント食品及び飲料産業が発展することに従い、多様な食品セットやメニューが市販されている。
通常、食飲料は工場で容器に完全にパックされて出荷される。しかし、嗜好食品や飲料を販売する小規模店舗では、例えば、食品や飲料は容器に入れて別に準備される。従って、使用者の嗜好に合わせるためには、多様な容器を準備する必要がある。しかしながら、狭い店舗で多様な種類の容器を準備することは難しい実情である。
【０００３】
例えば、通常のコーヒーの場合、コーヒーは容器本体に入れて平らな蓋で容器の開口を閉じる。泡があるコーヒーの場合には、ドーム状の蓋が容器の開口を閉じるために使用される。
即ち、従来の食飲料容器として、多数の排出孔と排出部がある平らな蓋が提供された。蓋の上部に濾過紙が挿入されて、使用者は挽いたコーヒーを即席で加工して飲用できる。
【０００４】
しかし、従来の食飲料容器は、コーヒーを即席で加工して飲用できる長所があるが、蓋を通じて容器内の内容物を安定に飲用することができない。
上述したように、従来の食飲料容器の蓋は一つの用途のみに使用され、複合的には使用することができなかった実情がある。
【発明の開示】
【発明が解決しようとする課題】
【０００５】
本発明は詳述した従来技術の問題点を解決するためのものである。
本発明の目的は、容器本体に逆方向に結合されて、多様な用途に用いることができるドーム状に形成された蓋を持つ食飲料容器を提供することである。 即ち、蓋が容器本体に正方向に結合された時には、使用者は容器本体の飲料を飲むことができる。また、蓋が容器本体に逆方向に結合された時には、使用者は挽いたコーヒーとか他のインスタント食品のような食品を入れて食用できる。
【課題を解決するための手段】
【０００６】
前記目的を実現するために、本発明の食飲料容器は、液状内容物を入れるコップ状の容器本体；および排出部が形成された半球体部を含む蓋を含み；そして、前記蓋はコップ状の容器本体に正方向または逆方向に結合される。
【０００７】
前記蓋は容器本体に正方向に結合される第１結束部と、容器本体に逆方向に結合される第２結束部を含んでなる。
前記容器本体はその上端に結束縁が形成される。
前記排出部は排出部材（spouting member）挿入孔を含んでなる。
前記半球体部の内面には突起を形成する。
また、前記半球体部の内面には排出路あるいは排出溝を形成する。
前記蓋は空気流入部をさらに含む。
【発明を実施するための最良の形態】
【０００８】
以下、本発明の好ましい実施例を添付した図面を参照して説明する。
図１及び図２に示したとおり、本発明の食飲料容器１は液状内容物を入れることができるコップ状の容器本体１０と、前記コップ状の本体１０の開放された上方に組み立てられる蓋２０を含んでなる。
【０００９】
前記コップ状の本体１０は、その上端部に結束縁１１が形成され、 結束縁１１は環突起とか環溝で形成される。また、 前記結束縁１１はスクリュー方式などで形成されることもできる。前記コップ状の容器本体１０は射出成形、圧空、圧真空および熱板成形の一つの方法で作られる。
【００１０】
前記蓋２０は半球体部２１を含むドーム状に形成される。前記半球体部２１は排出部材挿入孔２３がある排出部２２が形成される。
また、前記半球体部２１には、コップ状の本体１０の結束縁１１に結合される第１及び第２結束部２４、２５が形成される。前記第１結束部２４は蓋２０を本体１０に正方向に結合させるためのものである。前記第２結束部２５は蓋２０を逆方向に結合させるためのものである。前記第１及び第２結束部２４、２５の用途は使用者によって選択される。
【００１１】
前記排出部２２は半球体部２１から上方にまたは下方に突向されることができる。前記排出部２２は覆い３０により覆うことができる。また、前記排出部２２は側方に傾くように形成することができる。
【００１２】
図３及び図４は本発明の第２実施形態を示している。
図示したとおり、本発明の食飲料容器１は第１実施形態の容器と同じような構成になっている。
【００１３】
ただし、前記半球体部２１（２１’）はその内部底面に液体の流れを誘導する突起Ｂを形成している。前記突起Ｂは排出部材挿入孔２３を向くように形成される。
前記突起Ｂは濾過紙が半球体部２１の内部底面に密着されることを防止する。従って，コーヒーなどを濾過する場合、 前記突起Ｂは濾過紙を通じて液体の流れを円滑に誘導する。
【００１４】
この実施形態の作用効果を以下に説明する。
図５のとおり、蓋２０が容器本体１０に組み立てられる。排出部材（spouting member）４０が蓋２０の排出部２２に組み立てられる。前記排出部材４０を吸うと、使用者は容器本体１０の内容物を吸出することができる。この時、容器本体１０の内部に真空が掛かって収縮されることを防止するために、排出部２２には長い溝を設けて、外気が容器本体１０の内部に進入することができる。または、排出部材４０の外部に長い溝を形成して内部に真空が掛かることを防止することができる。
蓋２０が半球体部２１に形成されているので、容器本体１０の内部に泡が発生しても、前記半球体部２１が泡を吸収する。
【００１５】
他の実施形態として、図６に示したように、蓋２０は容器本体１０に第２結束部２５を使用して逆方向に組み立てられる。
使用の時には、図７に示したように、排出部材４０が排出部２２の排出部材挿入孔２３を通じて挿入され、蓋２０の凹部にスナックなどの食品６０が入れられる。
このような状態で、使用者は排出部材４０を通じては容器内の内容物を吸飲できるし、 蓋２０に入られた食品も摂取できる。
【００１６】
蓋２０に入られた食品６０を保護するために、蓋２０の上部に補助蓋５０をさらに付加することができる。
前記蓋２０の半球体部２１に形成された排出部２２は排出部材４０を受容することができる。
そして、図３で点線で示したように、第２結束部２５は、前記半球体部２１’の縁が容器本体１０の上端内壁部に密着されて一定の深さに容器本体１０に固定されるように構成される。
詳しくは、図３で示した「Ａ」部を「Ａ’」に変えることができる。即ち、半球体部２１’の縁が第２結束部２５’としての役割をする。
【００１７】
なお、図６に示したとおり、蓋２０を逆方向に容器本体１０に組み立てた状態では、濾過紙７０が蓋２０の凹部空間２６に配置される。濾過紙７０に挽いたコーヒーを入れて水を注ぐと、内容物は蓋２０に形成された突起Ｂを通じて排出台挿入孔２３に集まる。
【００１８】
図８及び図９は本発明の第３実施形態を示している。
図示したとおり、本発明の食飲料容器の蓋２０は側面部１０１及び上面部１０２を含む。
前記側面部１０１の下端には蓋２０を容器本体１０の結束縁１１に結合させるための第１結束部１０３が形成されている。
前記上面部１０２の一面には排出孔１０５がある排出部１０４が形成される。 排出路１０６が前記排出部１０４を向いて上面部１０２に形成される。即ち、前記排出路１０６上にある排出溝１０７は排出部１０４に連結される。
【００１９】
この実施形態の作用効果を以下に説明する。
蓋２０が容器本体１０の結束縁１１に組み立てられた一例を図９に示している。図１０には、蓋２０が容器本体１０に逆方向に組み立てて、濾過紙Ｆが蓋２０の内部空間１０８に内入する構造が示されている。濾過紙Ｆに挽いたコーヒー２００を入れて水を注いだ後、コーヒー水が濾過紙Ｆを通じて容器本体１０に集まって来る。
濾過紙（Ｆ）を通じたコーヒー水は下方に排出溝１０７に流れる。前記排出溝１０７に移動されたコーヒー水はさらに排出孔１０５に流れるようになる。    
【００２０】
図１１は本発明の他の実施形態を示す。
この実施形態においては、引きハンドル１１２がある切取膜１１０が切取線１１１に区画された蓋の上面部に形成されている。その使用時には、引きハンドル１１２を引くと切取膜１１０が除去され、 蓋の上面部に形成された空気流入部１１３が露出する。
図１２は本発明の蓋２０の凹部部分の変えた構造を示している。
【産業上利用可能性】
【００２１】
以上で説明したように、本発明の食飲料容器は、容器本体に逆方向に結合できるドーム状に形成された蓋を持つことにより、容器を多様な用途に用いることができる。即ち、蓋が容器本体に正方向に結合された時には、使用者は容器本体の飲料を飲むことができる。また、蓋が容器本体に逆方向に結合された時には、使用者は挽いたコーヒーとか他のインスタント食品のような食品を入れて食用できる。
従って，本発明の食飲料容器は、容器の多様な用途を必要とする小規模店舗で有効に使用することができる。
また、本発明の食飲料容器は、多様な機能に応用することができるので、生産および保管費用が節減される。
【図面の簡単な説明】
【００２２】
【図１】本発明の第１実施形態にしたがう容器の蓋を示した断面図である。
【図２】本発明の第１実施形態にしたがう容器の組立状態を示した断面図である。
【図３】本発明の第２実施形態にしたがう容器の蓋を示した断面図である。
【図４】図３の蓋及び容器の組立状態を示した一部断面図である。
【図５】本発明の容器に排出台を組み立てた状態を示した正面図である。
【図６】本発明の容器に蓋を逆方向に組み立てた状態を示した断面図である。
【図７】本発明の容器に蓋を逆方向に組み立てた状態を示した断面図である。
【図８】本発明の第３実施形態にしたがう蓋を示した斜視図である。
【図９】図８の蓋及び容器の組立状態を示した一部断面図である。
【図１０】図８の蓋が逆方向に組み立てた状態を示した断面図である。
【図１１】本発明の第４実施形態にしたがう蓋を示した断面図及び斜視図である。
【図１２】本発明の第４実施形態にしたがう蓋を示した断面図及び斜視図である。
【図１】
2006517892.tif 000003
【図２】
2006517892.tif 000004
【図３】
2006517892.tif 000005
【図４】
2006517892.tif 000006
【図５】
2006517892.tif 000007
【図６】
2006517892.tif 000008
【図７】
2006517892.tif 000009
【図８】
2006517892.tif 000010
【図９】
2006517892.tif 000011
【図１０】
2006517892.tif 000012
【図１１】
2006517892.tif 000013
【図１２】
2006517892.tif 000014
【国際調査報告】
2006517892.tif 000015
2006517892.tif 000016